(57)【要約】【課題】作業効率を図り安全でしかも開閉器のオンオフ状態を容易に確認できるスマートメータ電源印加装置を提供することである。【解決手段】容器本体１１には配電用遮断器１２及び可動式電源供給端子部１３が収納され、外部電源からの電気コード１４が配電用遮断器１２に配線され、電源投入確認用の表示部１６ａを経由して可動式電源供給端子部１３に外部電源から電力が供給され、また、容器本体１１には、開閉器を内蔵したスマートメータ２０の電源受給端子部２１を挿入するための開口部１８が設けられ、マートメータ２０の電源受給端子部２１が開口部１８に挿入されたとき、可動式電源供給端子部１３は電源受給端子部２１との接触面が電源受給端子部２１の挿入方向に対面し接触面の高さ位置が調整可能に容器本体１１内に配置されている。【選択図】  図１
2018136177.tif 000002
【特許請求の範囲】
【請求項１】
外部電源からの電気コードが配線され内部に前記電気コードに接続された配電用遮断器を収納した容器本体と、
前記容器本体に形成され需要家へ供給する電力を断続するための開閉器を内蔵したスマートメータの電源受給端子部を挿入するための開口部と、
前記電源受給端子部が前記開口部に挿入されたとき前記電源受給端子部との接触面が前記電源受給端子部の挿入方向に対面し前記接触面の高さ位置が調整可能に前記容器本体内に配置され前記配電用遮断器を介して前記外部電源から電力が供給される可動式電源供給端子部と、
を備えたことを特徴とするスマートメータ電源印加装置。
【請求項２】
前記開口部は、前記電源受給端子部を前記容器本体の垂直方向から挿入するように形成されたことを特徴とする請求項１に記載のスマートメータ電源印加装置。
【請求項３】
前記開口部は、前記電源受給端子部を前記容器本体の斜め方向から挿入するように形成されたことを特徴とする請求項１に記載のスマートメータ電源印加装置。
【請求項４】
前記開口部は、前記電源受給端子部を前記容器本体の水平方向から挿入するように形成され、前記電源受給端子部が前記開口部に水平方向から挿入されたとき前記電源受給端子部が前記可動式電源供給端子部に接触する位置で前記電源受給端子部を前記可動式電源供給端子部に掛止する掛止部を設けたことを特徴とする請求項１に記載のスマートメータ電源印加装置。
【請求項５】
前記可動式電源供給端子部は、前記外部電源から電力が供給される入力端子に加え、前記スマートメータに内蔵された前記開閉器を経由した出力端子を有することを特徴とする請求項１乃至請求項４のいずれかに記載のスマートメータ電源印加装置。
【請求項６】
前記可動式電源供給端子部の前記入力端子に接続され前記外部電源から電力が供給されていることを表示する電源投入確認用の表示部と、前記可動式電源供給端子部の前記出力端子に接続され前記開閉器のオンオフ状態を表示する開閉器オンオフ状態確認用の表示部とを前記容器本体の外面に設けたことを特徴とする請求項５に記載のスマートメータ電源印加装置。
【発明の詳細な説明】
【技術分野】
【０００１】
本発明は、スマートメータの動作確認のためにスマートメータに電源を印加するスマートメータ電源印加装置に関する。
【背景技術】
【０００２】
スマートメータは電力をデジタルで計測し、スマートメータ内に通信機能を持たせた電力量計であり、需要家へ供給する電力を断続するための開閉器を内蔵している（例えば、特許文献１参照）。このように、スマートメータでは、通信機能を活用してリモート機能により開閉器を操作できる。したがって、管理箇所からのリモート操作により、需要家へ供給する電力を断続できるので、人件費の削減が期待されている。
【０００３】
新品の未使用のスマートメータは、内蔵している開閉器がオン状態で出荷されていることが多いが、スマートメータを取り付ける際には安全のために開閉器がオフ状態で取付作業をする場合があることから、スマートメータの開閉器のオンオフを切り替える必要性がある。
【０００４】
そこで、新品のスマートメータの開閉器をオフ状態にするために、スマートメータへ電源を印加し開閉器のオフ操作を行っている。スマートメータへ電源を印加するのは開閉器の開閉操作を行う電源を供給するためである。この場合のスマートメータへの電源印加は、スマートメータ端子部に配線を接続する、若しくは簡易型計器電源印加装置等を用意し、電源を印加している。
【先行技術文献】
【特許文献】
【０００５】
【特許文献１】特開２００８−２０３１３９号公報
【発明の概要】
【発明が解決しようとする課題】
【０００６】
しかし、配線の接続又は簡易型計器電源印加装置を使用してスマートメータに電源を印加させた場合、スマートメータの端子部及び簡易型計器電源印加装置使用時であれば簡易型計器電源印加装置の接続クリップが露出したまま活線となるため、作業員はゴム手袋などの安全装備品の着用が必要となり作業効率が著しく悪化する。また、活線部分が露出しているため、クリップの接続不備等により異相間短絡が発生する恐れがある。さらには、スマートメータの開閉器のオンオフ状態を確認するためには、スマートメータの二次側端子部において電圧測定又は検電を行う必要がある。
【０００７】
本発明の目的は、作業効率を図り安全でしかも開閉器のオンオフ状態を容易に確認できるスマートメータ電源印加装置を提供することである。
【課題を解決するための手段】
【０００８】
請求項１の発明に係るスマートメータ電源印加装置は、外部電源からの電気コードが配線され内部に前記電気コードに接続された配電用遮断器を収納した容器本体と、前記容器本体に形成され需要家へ供給する電力を断続するための開閉器を内蔵したスマートメータの電源受給端子部を挿入するための開口部と、前記電源受給端子部が前記開口部に挿入されたとき前記電源受給端子部との接触面が前記電源受給端子部の挿入方向に対面し前記接触面の高さ位置が調整可能に前記容器本体内に配置され前記配電用遮断器を介して前記外部電源から電力が供給される可動式電源供給端子部とを備えたことを特徴とする。
【０００９】
請求項２の発明に係るスマートメータ電源印加装置は、請求項１の発明において、前記開口部は、前記電源受給端子部を前記容器本体の垂直方向から挿入するように形成されたことを特徴とする。
【００１０】
請求項３の発明に係るスマートメータ電源印加装置は、請求項１の発明において、前記開口部は、前記電源受給端子部を前記容器本体の斜め方向から挿入するように形成されたことを特徴とする。
【００１１】
請求項４の発明に係るスマートメータ電源印加装置は、請求項１の発明において、前記開口部は、前記電源受給端子部を前記容器本体の水平方向から挿入するように形成され、前記電源受給端子部が前記開口部に水平方向から挿入されたとき前記電源受給端子部が前記可動式電源供給端子部に接触する位置で前記電源受給端子部を前記可動式電源供給端子部に掛止する掛止部を設けたことを特徴とする。
【００１２】
請求項５の発明に係るスマートメータ電源印加装置は、請求項１乃至請求項４のいずれかの発明において、前記可動式電源供給端子部は、前記外部電源から電力が供給される入力端子に加え、前記スマートメータに内蔵された前記開閉器を経由した出力端子を有することを特徴とする。
【００１３】
請求項６の発明に係るスマートメータ電源印加装置は、請求項５の発明において、前記可動式電源供給端子部の前記入力端子に接続され前記外部電源から電力が供給されていることを表示する電源投入確認用の表示部と、前記可動式電源供給端子部の前記出力端子に接続され前記開閉器のオンオフ状態を表示する開閉器オンオフ状態確認用の表示部とを前記容器本体の外面に設けたことを特徴とする。
【発明の効果】
【００１４】
請求項１の発明によれば、スマートメータの電源受給端子部が容器本体の開口部に挿入されたとき、容器本体内の配電用遮断器を介して外部電源から電力が供給される可動式電源供給端子部との接触面が電源受給端子部の挿入方向に対面し、その接触面の高さ位置が調整可能となるので、電源受給端子部と可動式電源供給端子部との接触面の高さにバラツキがあっても電源受給端子部を可動式電源供給端子部に接触できる。スマートメータの電源供給時に活線状態となる電源受給端子部及び可動式電源供給端子部は容器本体内に位置するので、安全に外部電源からスマートメータに電源を供給できる。
【００１５】
請求項２の発明によれば、請求項１の発明の効果に加え、容器本体の開口部は、電源受給端子部を容器本体の垂直方向から挿入するように形成されているので、スマートメータの電源受給端子部は可動式電源供給端子部に対してスマートメータの自重で押圧される。従って、電源受給端子部と可動式電源供給端子部との接触面の高さにバラツキがあっても電源受給端子部は可動式電源供給端子部に接触できる。
【００１６】
請求項３の発明によれば、請求項１の発明の効果に加え、可動式電源供給端子部の接触端子と電源受給端子部との接触面が斜め方向となり、容器本体の外部からその接触面の確認が容易となる。
【００１７】
請求項４の発明によれば、請求項１の発明の効果に加え、スマートメータの電源受給端子部は容器本体の水平方向から挿入できるので、可動式電源供給端子部の接触端子と電源受給端子部との接触面が水平方向となり、容器本体の外部からその接触面の確認が容易となる。
【００１８】
請求項５の発明によれば、請求項１乃至請求項４のいずれかの発明の効果に加え、可動式電源供給端子部は、外部電源から電力が供給される入力端子に加え、スマートメータに内蔵された開閉器を経由した出力端子を有するので、スマートメータに外部電源から電力が供給された状態で出力端子の出力信号を確認することで開閉器のオンオフ状態を確認できる。
【００１９】
請求項６の発明によれば、請求項５の発明の効果に加え、可動式電源供給端子部の入力端子に電源投入確認用の表示部を接続して容器本体の外面に設けるので、外部電源から電力が供給されていること容易に確認でき、また、可動式電源供給端子部の出力端子に開閉器オンオフ状態確認用の表示部を接続して容器本体の外面に設けるので、開閉器のオンオフ状態を容易に確認できる。
【図面の簡単な説明】
【００２０】
【図１】本発明の第１実施形態に係るスマートメータ電源印加装置の説明図。
【図２】本発明の第１実施形態に係るスマートメータ電源供給装置の可動式電源供給端子部の説明図。
【図３】本発明の第２実施形態に係るスマートメータ電源供給装置の説明図。
【図４】本発明の第３実施形態に係るスマートメータ電源供給装置の説明図。
【発明を実施するための形態】
【００２１】
以下、本発明の実施形態を説明する。図１は本発明の第１実施形態に係るスマートメータ電源印加装置の説明図であり、図１（ａ）は第１実施形態に係るスマートメータ電源印加装置の構成図、図１（ｂ）はスマートメータを垂直方向から装着したスマートメータ電源印加装置の構成図である。
【００２２】
図１（ａ）において、容器本体１１は絶縁性の半透明部材で形成される。容器本体１１の内部には、配電用遮断器１２及び可動式電源供給端子部１３が収納されている。図示省略の外部電源からの引き出された電気コード１４ａは容器本体１１の内部に配線され、その電気コード１４ａに配電用遮断器１２が接続されている。配電用遮断器１２からは配線コード１４ｂが引き出され可動式電源供給端子部１３の入力端子１５に接続されている。そして、配電用遮断器１２と可動式電源供給端子部１３の入力端子１５との間の配線コード１４ｂから並列に電源投入確認用の表示部１６ａが接続され、電源投入確認用の表示部１６ａは容器本体１１の外面に設けられている。電源投入確認用の表示部１６ａは外部電源から電力が供給されていることを表示する。
【００２３】
可動式電源供給端子部１３は入力端子１５に加え出力端子１７を有している。出力端子１７は、スマートメータに内蔵された開閉器を経由した端子であり、開閉器のオンオフ状態を取り出すことができる端子である。可動式電源供給端子部１３の出力端子１７からは電気コード１４ｃが引き出され、電気コード１４ｃに開閉器オンオフ状態確認用の表示部１６ｂが接続され、開閉器オンオフ状態確認用の表示部１６ｂは容器本体１１の外面に設けられている。開閉器オンオフ状態確認用の表示部１６ｂは開閉器のオンオフ状態を表示する。
【００２４】
また、容器本体１１には、スマートメータの電源受給端子部を挿入するための開口部１８が設けられている。スマートメータは電力をデジタルで計測し、スマートメータ内に通信機能を持たせた電力量計であり、需要家へ供給する電力を断続するための開閉器を内蔵している。開口部１８に対面して、可動式電源供給端子部１３の接触端子１９が容器本体１１内に配置されており、スマートメータの電源受給端子部が開口部１８に挿入されたとき、スマートメータの電源受給端子部と可動式電源供給端子部１３の接触端子１９とが接触するようになっている。
【００２５】
すなわち、図１ではスマートメータの電源受給端子部は開口部１８から垂直方向に挿入されることから、可動式電源供給端子部１３は、可動式電源供給端子部１３の接触端子１９が垂直方向に向けて配置されている。これより、スマートメータの電源受給端子部が開口部１８に垂直方向に挿入されたとき、スマートメータの電源受給端子部と可動式電源供給端子部１３の接触端子１９との接触面が電源受給端子部の挿入方向（垂直方向）で対面するようになっている。
【００２６】
図１（ｂ）に示すように、開口部１８からスマートメータ２０の電源受給端子部２１を垂直方向から挿入すると、電源受給端子部と可動式電源供給端子部１３の接触端子１９とが接触する。スマートメータ２０の電源受給端子部２１は可動式電源供給端子部１３に対してスマートメータ２０の自重で押圧される。
【００２７】
図２は本発明の第１実施形態に係るスマートメータ電源供給装置の可動式電源供給端子部の説明図であり、図２（ａ）は可動式電源供給端子部の接触端子の構成図、図２（ｂ）は可動式電源供給端子部の接触端子にスマートメータの電源受給端子部を接触させた状態の一例を示す可動式電源供給端子部の正面図である。
【００２８】
図２（ａ）に示すように、可動式電源供給端子部１３の接触端子１９は、可動鉄心２２の一方端部に入力端子１５（または出力端子１７）が設けられ、他方端にスライドストッパ２３が設けられ、入力端子１５（または出力端子１７）とスライドストッパ２３との間に押しバネ２４が配置され、スライドストッパ２３と押しバネ２４とを絶縁性カバー２５に収納して構成される。そして、スライドストッパ２３と押しバネ２４とを収納した絶縁性カバー２５は、可動式電源供給端子部１３の本体に取り付けられる。なお、入力端子１５には配線ケーブル１４ｂが接続され、出力端子１７には配線１４ｃが接続される。
【００２９】
いま、開口部１８からスマートメータ２０の電源受給端子部２１が垂直方向から挿入され、図２（ｂ）に示すように、例えば、電源受給端子部２１の左側が左下がりで、電源受給端子部２１の右側が右上がりの状態となったとすると、電源受給端子部２１と可動式電源供給端子部１３の接触端子１９ａ〜１９ｄとの接触面は、その高さが位置調整される。
【００３０】
すなわち、図２（ｂ）の左側１番目の接触端子１９ａは、可動鉄心２２の先端部が電源受給端子部２１により最も強く下方に押し下げられるので、可動鉄心２２ａの先端部はスライドストッパ２３ａで押しバネ２４ａを押し下げる。押しバネ２４ａは絶縁性カバー２５ａの下端部で掛止されているので、押しバネ２４ａは圧縮され収縮する。そして、可動鉄心２２ａの後端部は、絶縁性カバー２５ａの下端部から最も長く下方に突出する。
【００３１】
以下、同様に、左側２番目の接触端子１９ｂの可動鉄心２２ｂの後端部は、絶縁性カバー２５ｂの下端部から２番目の長さで下方に突出し、左側３番目の接触端子１９ｃの可動鉄心２２ｃの後端部は、絶縁性カバー２５ｃの下端部から３番目の長さで下方に突出し、左側４番目の接触端子１９ｄの可動鉄心２２ｄの後端部は、絶縁性カバー２５ｄの下端部から４番目の長さで下方に突出する。図２（ｂ）では、左側４番目の接触端子１９ｄの可動鉄心２２ｄの後端部は、突出していない状態を示している。
【００３２】
第１実施形態によれば、スマートメータ２０の電源受給端子部２１を容器本体１１の垂直方向から挿入するので、スマートメータ２０の電源受給端子部２１は可動式電源供給端子部１３に対してスマートメータの自重で押圧される。そして、可動式電源供給端子部１３の接触端子１９は、押しバネ２４により、可動式電源供給端子部１３の接触端子１９と電源受給端子部２１との接触面の高さ位置を調整できるので、接触面の接触不良を防止できる。すなわち、スマートメータの電源受給端子部２１が容器本体１１の開口部１３に挿入されたとき、容器本体１１内の可動式電源供給端子部１３の接触端子１９と電源受給端子部２１との接触面との高さ位置にバラツキがあっても、電源受給端子部は可動式電源供給端子部に接触できるので接触不良を防止できる。
【００３３】
また、可動式電源供給端子部１３の入力端子１５に電源投入確認用の表示部１６ａを接続して容器本体１１の外面に設けるので、外部電源から電力が供給されていること容易に確認できる。さらに、可動式電源供給端子部１３の出力端子１７に開閉器オンオフ状態確認用の表示部１６ｂを接続して容器本体１１の外面に設けるので、開閉器のオンオフ状態を容易に確認できる。
【００３４】
容器本体１１は絶縁性の半透明部材で形成され、スマートメータ２０への電源供給時に活線状態となる電源受給端子部２１及び可動式電源供給端子部１３は容器本体１１内に位置するので、感電を防止でき安全装備品の着用を省略することが可能となり作業性の効率化が図れる。また、可動式電源供給端子部１３の接触端子１９と電源受給端子部２１との接触面を外部から目視で確認できる。配電用遮断器１２を設けることによってスマートメータ２０の内部故障時も短絡保護ができる。
【００３５】
以上の説明では、容器本体１１は直方体で形成された場合を示しているが、必ずしも直方体でなくともよく、円柱形状や半球形状などであってもよい。また、可動式電源供給端子部１３は出力端子１７や開閉器オンオフ状態確認用の表示部１６ｂを設けた場合を示したが、必ずしも可動式電源供給端子部１３の出力端子１７や開閉器オンオフ状態確認用の表示部１６ｂを設ける必要はない。これは、スマートメータ２０には開閉器のオンオフ状態を表示する表示機能を有している場合があるので、そのような場合には開閉器のオンオフ状態を表示する表示機能で開閉器のオンオフ状態を確認できるからである。なお、スマートメータ２０が開閉器のオンオフ状態を表示する表示機能を有している場合であっても、可動式電源供給端子部１３の出力端子１７や開閉器オンオフ状態確認用の表示部１６ｂを設けてもよい。
【００３６】
次に、本発明の第２実施形態を説明する。図３は本発明の第２実施形態に係るスマートメータ電源印加装置の説明図であり、図３（ａ）は第２実施形態に係るスマートメータ電源印加装置の構成図、図３（ｂ）はスマートメータを斜め方向から装着したスマートメータ電源印加装置の構成図である。
【００３７】
図３に示す第２実施形態は、図１に示した第１実施形態に対し、スマートメータの電源受給端子部を容器本体の垂直方向から挿入することに代えて、スマートメータの電源受給端子部を容器本体の斜め方向から挿入するようにしたものである。図１と同一要素には同一符号を付し重複する記載は省略する。
【００３８】
図３（ａ）、（ｂ）において、図３ではスマートメータ２０の電源受給端子部２１は開口部１８から斜め方向に挿入されることから、可動式電源供給端子部１３は、可動式電源供給端子部１３の接触端子１９が斜め方向に向けて配置されている。これより、スマートメータ２０の電源受給端子部２１が開口部１８に斜め方向に挿入されたとき、スマートメータ２０の電源受給端子部２１と可動式電源供給端子部１３の接触端子１９との接触面が電源受給端子部２１の挿入方向（斜め方向）で対面する。スマートメータ２０の電源受給端子部２１は可動式電源供給端子部１３に対してスマートメータ２０の自重の垂直方向成分で押圧される。この押圧力が十分でない場合は、スマートメータ２０の電源受給端子部２１と可動式電源供給端子部１３の接触端子１９との接触が不安定になるので、必要に応じて、図示は省略するが、電源受給端子部を可動式電源供給端子部に掛止する掛止部を設けることになる。
【００３９】
第２実施形態によれば、スマートメータ２０の電源受給端子部２１は容器本体１１の斜め方向から挿入できるので、可動式電源供給端子部１３の接触端子１９と電源受給端子部２１との接触面が斜め方向となり、容器本体１１の外部からその接触面の確認が容易となる。また、スマートメータ２０の電源受給端子部２１は可動式電源供給端子部１３に対してスマートメータ２０の自重の斜め方向の荷重で押圧されるので、可動式電源供給端子部１３の接触端子１９と電源受給端子部２１との接触面との高さ位置にバラツキがあっても電源受給端子部２１は可動式電源供給端子部１３の接触端子１９に接触できる。
【００４０】
次に、本発明の第３実施形態を説明する。図４は本発明の第３実施形態に係るスマートメータ電源印加装置の説明図であり、図４（ａ）は第３実施形態に係るスマートメータ電源印加装置の構成図、図４（ｂ）はスマートメータを垂直方向から装着したスマートメータ電源印加装置の構成図である。
【００４１】
図４に示す第３実施形態は、図１に示した第１実施形態に対し、スマートメータの電源受給端子部を容器本体の垂直方向から挿入することに代えて、スマートメータの電源受給端子部を容器本体の水平方向から挿入するようにしたものである。図１と同一要素には同一符号を付し重複する記載は省略する。
【００４２】
図４（ａ）、（ｂ）において、図４ではスマートメータ２０の電源受給端子部２１は開口部１８から水平方向に挿入されることから、可動式電源供給端子部１３は、可動式電源供給端子部１３の接触端子１９が水平方向に向けて配置されている。これより、スマートメータ２０の電源受給端子部２１が開口部１８に水平方向に挿入されたとき、スマートメータ２０の電源受給端子部２１と可動式電源供給端子部１３の接触端子１９との接触面が電源受給端子部２１の挿入方向（水平方向）で対面する。
【００４３】
ここで、スマートメータ２０の電源受給端子部２１は開口部１８から水平方向に挿入されることから、スマートメータ２０の自重による押圧力は発生しない。そこで、スマートメータ２０の電源受給端子部２１を可動式電源供給端子部１３に対して押圧する押圧力を発生させるため掛止部を設ける。すなわち、スマートメータ２０の電源受給端子部２１が開口部１８に水平方向から挿入されたとき、電源受給端子部２１が可動式電源供給端子部１３の接触端子１９に接触する位置で、電源受給端子部２１を可動式電源供給端子部１３に掛止する掛止部を設ける。図４では、この掛止部の図示は省略しているが、掛止部は、電源受給端子部２１を可動式電源供給端子部１３に掛止するロック機構と、このロック機構を解除するロック解除機構とを有する。スマートメータ２０の電源受給端子部２１を開口部１８から引き抜く際にはロック解除機構でロック機構を解除して引き抜くことになる。
【００４４】
第３実施形態によれば、スマートメータ２０の電源受給端子部２１は容器本体１１の水平方向から挿入できるので、可動式電源供給端子部１３の接触端子１９と電源受給端子部２１との接触面が水平方向となり、容器本体１１の外部からその接触面の確認が容易となる。また、スマートメータ２０の電源受給端子部２１が開口部１８に水平方向から挿入されたとき、電源受給端子部２１が可動式電源供給端子部１３の接触端子１９に接触する位置で電源受給端子部２１を可動式電源供給端子部１３に掛止する掛止部を設けているので、スマートメータ２０の電源受給端子部２１は可動式電源供給端子部１３に対して掛止部で掛止された荷重で押圧されるので、可動式電源供給端子部１３の接触端子１９と電源受給端子部２１との接触面との高さ位置にバラツキがあっても電源受給端子部２１は可動式電源供給端子部１３に接触できる。
【００４５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１１…容器本体、１２…配電用遮断器、１３…可動式電源供給端子部、１４…電気コード、１５…入力端子、１６…表示部、１７…出力端子、１８…開口部、１９…接触端子、２０…スマートメータ、２１…電源受給端子部、２２…可動鉄心、２３…スライドストッパ、２４…押しバネ、２５…絶縁性カバー
【図１】
2018136177.tif 000003
【図２】
2018136177.tif 000004
【図３】
2018136177.tif 000005
【図４】
2018136177.tif 000006